(57)【要約】【課題】移動体通信機器等に用いられるアンテナに関し、通話時にアンテナ利得の損失が少なくできるものを得ることを目的とする。【解決手段】アンテナ２０の装着部３２を装着方向の規制が行える形状に構成すると共に、アンテナ素子２１の下方部分をメアンダ状部２１Ｂとして筐体４１への搭載時に、そのメアンダ状部２１Ｂが筐体４１の背面側に位置するように装着可能な構成とした。これにより、通話時に、アンテナ素子２１の下方部分に位置するメアンダ状部２１Ｂが、アース機能として働く人体から離れた配置状態のものにでき、アンテナ利得の損失が低減されたものにできる。【選択図】図２
2006101107.tif 000002
【特許請求の範囲】
【請求項１】
上方側に配設されたコイル状の第一素子部と下方側に配設された第二素子部とを備えたアンテナ素子と、そのアンテナ素子の外方を覆う絶縁部材と、携帯電話の筐体に対する取り付け方向を規制する規制機能を有する装着部とを有し、上記装着部の規制機能で規制されて、上記アンテナ素子の第二素子部が上記筐体の背面側に位置するように装着できるアンテナ。
【請求項２】
アンテナ素子の第二素子部が、上面視略Ｃ字状のメアンダ状部で構成され、その開口部が筐体の前面側に向く配置で装着できる請求項１記載のアンテナ。
【発明の詳細な説明】
【技術分野】
【０００１】
本発明は、携帯電話に代表される移動体通信機器等に用いられるアンテナに関するものである。
【背景技術】
【０００２】
近年、移動体通信機器の中の一つである携帯電話の普及が目覚ましく、その電波の送受信部として各種形態のアンテナが使用されるが、特に日本国内では、携帯電話の筐体に外付けされるタイプのものが多くなってきた。
【０００３】
このような従来のアンテナについて、図４および図５を用いて説明する。
【０００４】
図４は従来のアンテナを携帯電話に装着する状態を示す図であり、同図に示すように、従来のアンテナ１は、使用機器となる携帯電話の筐体１１の上面部に装着されて搭載される。
【０００５】
そのようなアンテナ１では、図５に示す一つのコイル状部２Ａを備えたアンテナ素子２を使用して構成されることが多い。なお、同図には、アンテナ素子２として平角導体で形成したものを図示している。
【０００６】
また、図５に示す３は、略円柱状に構成された金属製の給電金具であり、中間部から下方の円柱部分が使用機器への装着部３Ａとしてなり、その装着部３Ａの外周面には雄ネジが設けられている。
【０００７】
そして、上記アンテナ素子２と上記給電金具３とは、コイル状部２Ａの下端部から延出形成されている水平直線部２Ｂに設けた固定部２Ｃを、給電金具３の上端位置に配設した上方鍔部３Ｂの溝部３Ｃ内に嵌め込んで、その下端を上方鍔部３Ｂの下面側でカシメ固定することによって両者は電気的かつ機械的に結合固定される。このとき、給電金具３とアンテナ素子２のコイル状部２Ａとは、同軸上の位置に合わせて固定される。
【０００８】
そして、図５への図示は省略するが、アンテナ素子２の外周および給電金具３の上部外周は絶縁樹脂で覆われ、当該上部部分の外形は砲弾型の絶縁トップ部４（図４参照）に構成され、その下端面から給電金具３の装着部３Ａが突出している従来のアンテナ１に構成される。
【０００９】
上記構成とされた従来のアンテナ１は、上述したように使用機器である携帯電話の筐体１１の上面部に装着して使用される。
【００１０】
そして、上記筐体１１は、図４に示すように、前面側がテンキーや通話部および送話部などが配置された各種操作を行うための所謂操作面に構成され、アンテナ１の被装着部となる筐体１１上面部の所定箇所には、アンテナ１を取り付けるための取り付け穴１１Ａを備えている。この取り付け穴１１Ａ内には、ナット（図示せず）が埋設固定されている。そのナットの雌ネジは、上記アンテナ１の給電金具３における装着部３Ａ外周に設けられた雄ネジに適合している。なお、上記ナットと筐体１１内に配された配線基板（図示せず）の回路とは、電気的接続状態となっている。
【００１１】
そして、従来のアンテナ１は、筐体１１の上記取り付け穴１１Ａに対し、給電金具３の装着部３Ａをねじ込んでいって装着され、その搭載状態でアンテナ素子２は、ナットを介して機器内に構成された回路と電気的接続状態で配されるものであった。
【００１２】
そして、その使用時には、使用者が上記携帯電話の操作面への所定操作をすることにより、筐体１１内に配された無線回路などが作動し、アンテナ１を介して電波の送受信が行われつつ通話等が行えるものであった。
【００１３】
なお、この出願の発明に関連する先行技術文献情報としては、例えば、特許文献１が知られている。
【特許文献１】特開２００１−２３０６１７号公報
【発明の開示】
【発明が解決しようとする課題】
【００１４】
しかしながら、上記従来のアンテナ１を筐体１１の上面部に取り付けたものとすると、アンテナ素子２のコイル状部２Ａは、携帯電話の通話時に、その高さ方向における全体が人体と近接する距離に位置することとなり、その際、人体はアース機能として働くので、アンテナ利得の損失が発生しやすいという課題があった。
【００１５】
本発明は、このような従来の課題を解決するものであり、通話時にアンテナ利得の損失が少なくできるアンテナを提供することを目的とする。
【課題を解決するための手段】
【００１６】
上記目的を達成するために本発明は、以下の構成を有するものである。
【００１７】
本発明の請求項１に記載の発明は、上方側に配設されたコイル状の第一素子部と下方側に配設された第二素子部とを備えたアンテナ素子と、そのアンテナ素子の外方を覆う絶縁部材と、携帯電話の筐体に対する取り付け方向を規制する規制機能を有する装着部とを有し、上記装着部の規制機能で規制されて、上記アンテナ素子の第二素子部が上記筐体の背面側に位置するように装着できるアンテナとしたものである。
【００１８】
この構成であれば、携帯電話の通話時に、特に人体の頭部に近接することとなるアンテナ素子の下方部分に配設された第二素子部を、上記筐体の背面側に離した状態で位置させるようにできるため、アース機能として働く人体のアンテナへの影響度合いを低減させることができ、アンテナ利得の損失が低減できるという作用を有する。
【００１９】
請求項２に記載の発明は、請求項１記載の発明において、アンテナ素子の第二素子部が、上面視略Ｃ字状のメアンダ状部で構成され、その開口部が筐体の前面側に向く配置で装着できるものであり、請求項１記載の発明による作用に加え、上記形状のメアンダ状部であれば第二素子部としてもアンテナ長を長いものとし易く、アンテナ自身の外形の小型化などが容易に図れるという作用を有する。
【発明の効果】
【００２０】
以上のように本発明によれば、携帯電話の通話時に人体に近接することとなるアンテナ素子の下方部分となる第二素子部を、上記携帯電話における筐体の背面側に離すように位置させた装着状態で搭載できるものとしたため、通話時におけるアンテナ利得の損失が少なくできるものが実現できるという有利な効果が得られる。
【発明を実施するための最良の形態】
【００２１】
以下、本発明の実施の形態について、図１〜図３を用いて説明する。
【００２２】
なお、従来の技術の項で説明した構成と同一構成の部分には同一符号を付して、詳細な説明を簡略化する。
【００２３】
（実施の形態）
図１は本発明の一実施の形態によるアンテナを携帯電話に装着する状態を示す図であり、同図に示すように、本発明によるアンテナ２０も、従来同様に、使用機器となる携帯電話の筐体４１の上面部に装着されて搭載される固定式アンテナ構造のものである。
【００２４】
そして、当該アンテナ２０は、図２の斜視図に示すアンテナ素子２１を用いて構成している。
【００２５】
そのアンテナ素子２１の形状は、同図に示すように、上方部分が第一素子部となるコイル状部２１Ａで構成されると共に、そのコイル状部２１Ａの下方部分に第二素子部となるメアンダ状部２１Ｂが一体形成されているものとなっている。
【００２６】
なお、メアンダ状部２１Ｂは、コイル状部２１Ａで構成される上面視略円形の半周分にあたる上面視略Ｃ字形状のものに形成されている。
【００２７】
さらに、メアンダ状部２１Ｂの下端には、一体で下方に延出形成された平板状の給電部２１Ｃが配設されている。
【００２８】
上記コイル状部２１Ａ、メアンダ状部２１Ｂ、給電部２１Ｃを有する当該アンテナ素子２１は、金属薄板を所定形状にプレス加工した後、曲げ加工等を施すことにより形成できるものである。
【００２９】
そして、図２に点線で示すように、上記アンテナ素子２１のコイル状部２１Ａとメアンダ状部２１Ｂからなる部分の外方は絶縁樹脂で覆われて、外形が砲弾型の絶縁トップ部３１に構成されている。その絶縁トップ部３１を構成する絶縁樹脂が、絶縁部材としてなり、コイル状部２１Ａやメアンダ状部２１Ｂは、その絶縁樹脂で位置決め固定されている。
【００３０】
また、上記絶縁トップ部３１の下面位置には、絶縁トップ部３１と一体の絶縁樹脂で、下方側に向かって突出形成された装着部３２が配設されている。その装着部３２は、図３の下面図にも示すように、水平断面が半円となる半円柱形状に形成され、以下、その水平断面における半円の円弧側を背面側、それとは逆方向側を前面側として説明する。その装着部３２の前面側の平坦面には、上記給電部２１Ｃが面状の露出状態に固定されている。なお、上記の絶縁トップ部３１と装着部３２と個々の部品で組み合わせられて構成してあってもよい。
【００３１】
そして、絶縁トップ部３１内において、アンテナ素子２１は、その下方部分のメアンダ状部２１ＢのＣ字の開口側が前面側に向く配置方向で絶縁トップ部３１内に固定されている。
【００３２】
当該アンテナ２０は、上記のように構成されるものであり、続いて、当該アンテナ２０の使用機器への搭載状態について説明する。
【００３３】
その使用機器となる携帯電話の筐体４１は、図１に示すように、その前面側が各種操作を行うための所謂操作面に構成され、そのアンテナ２０の被装着部分としては、筐体４１の上面部に上記装着部３２の形状に適合する上面視略半円形の取り付け穴４１Ａを有している。その取り付け穴４１Ａの円弧形状の突出方向は、筐体４１の背面側に向けて設けられている。
【００３４】
そして、当該アンテナ２０は、上記装着部３２を取り付け穴４１Ａ内に挿入して固定状態とすることにより搭載される。なお、その搭載時における固定方法については、特に規定されるものではないので、詳細な説明や図示などは省略する。また、上記アンテナ２０が筐体４１に搭載された際に、図示は省略するが、装着部３２の前面側に露出している給電部２１Ｃに対しバネ部材などの中間部材を介して、アンテナ素子２１は、筐体４１内に構成された電気回路と電気的接続状態となされる。
【００３５】
そして、上記アンテナ２０の筐体４１への装着状態であれば、アンテナ素子２１のメアンダ状部２１Ｂが配されているアンテナ２０の背面側を、筐体４１の背面側に合わせ込んで搭載されたものにできる。
【００３６】
以上のように当該アンテナ２０が搭載されて構成された携帯電話は、従来同様に上記前面側の操作面への所定操作で、筐体４１内に配された無線回路などを作動させ、アンテナ２０を介して電波の送受信を行いつつ通話などが行えるものである。
【００３７】
そして、その通話時に、使用者は、筐体４１の前面側に搭載されたスピーカやマイクを使用するため、筐体４１の前面側の操作面に頭部を近づけて通話を行うこととなるが、本発明によるアンテナ２０は、アンテナ素子２１の下方部分をメアンダ状部２１Ｂで構成し、しかもアンテナ２０の搭載状態ではメアンダ状部２１Ｂは筐体４１の背面側に位置するように装着できるものであるため、アンテナ素子２１の下方部分となる第二素子部が、従来のものよりもアース機能として働く人体から離れた配置で搭載されたものにでき、これによってアンテナ利得の損失が低減されたものとなる。
【００３８】
なお、アンテナ素子２１における第二素子部であるメアンダ状部２１Ｂを下方位置に設けているのは、当該アンテナ２０のように筐体４１の上面部に、アンテナ素子２１を内包する絶縁トップ部３１が突出状態で搭載される固定式アンテナの場合には、特に通話時に人体における頭部に対し上記上面部近傍の高さ位置でのアンテナ素子２１の下方部分が近接的な配置状態になるためである。
【００３９】
なお、上記に説明したように、アンテナ素子２１の下方部分を、前面側が開口方向となる上面視略Ｃ字状のメアンダ状部２１Ｂで構成すると第二素子部としてもアンテナ長を長いものとし易く、アンテナ２０自身の小型化などを容易に図ることができて好ましい。また、メアンダ状部２１Ｂの形状としては、上面視略Ｃ字形状以外のもの、例えば上面視で略円弧状や略コの字状、略Ｕ字状のもの等であってもよい。さらには、アンテナ素子の第二素子部は、上記のメアンダ形状のものに限定されることもなく、筐体への装着後に、筐体の背面側に位置するものであればよい。また、装着部３２や給電部２１Ｃも、上述構成以外のものとしてもよい。
【産業上の利用可能性】
【００４０】
本発明によるアンテナは、アンテナ素子の下方部分となる第二素子部を、携帯電話における筐体の背面側に離すように位置させた装着状態で搭載できるものであるため、その携帯電話の通話時に、アンテナ利得の損失が少なくできるという効果を有し、携帯電話に代表される移動体通信機器等に有用である。
【図面の簡単な説明】
【００４１】
【図１】本発明の一実施の形態によるアンテナを携帯電話に装着する状態を示す図
【図２】同アンテナにおける要部であるアンテナ素子を示す斜視図
【図３】同アンテナの下面図
【図４】従来のアンテナを携帯電話に装着する状態を示す図
【図５】同アンテナにおける要部であるアンテナ素子および給電金具の結合前の斜視図
【符号の説明】
【００４２】
２０  アンテナ
２１  アンテナ素子
２１Ａ  コイル状部（第一素子部）
２１Ｂ  メアンダ状部（第二素子部）
２１Ｃ  給電部
３１  絶縁トップ部
３２  装着部
４１  筐体
４１Ａ  取り付け穴
【図１】
2006101107.tif 000003
【図２】
2006101107.tif 000004
【図３】
2006101107.tif 000005
【図４】
2006101107.tif 000006
【図５】
2006101107.tif 000007